(57)【要約】【課題】電源コードの巻き取りに際し、電源コードや電源プラグの飛び跳ねを防止することができる電気掃除機を提供する。【解決手段】電気掃除機１００は、本体１の内部に配置されたコードリール１０と、電源コード２が巻き取られる方向にコードリール１０を付勢するゼンマイと、電源コード２が巻き取られる方向へのコードリール１０の回転を不能にする回転制動手段２０と、回転制動手段２０に作用してコードリール１０の電源コード２が巻き取られる方向への回転を可能にする回転開放手段３０と、を有している。本体１の上面１ａと背面１ｂに跨って、電源プラグ３を収納するための凹部４が形成され、凹部４に離脱棒３１の上端に固定された巻き取りボタン５が露出し、巻き取りボタン５を電源プラグ３によって押し下げることによって離脱棒３１が下降し、制動棒２１が傾動され、制動爪２２がラッチ１３から外れる。【選択図】図１
2011206106.tif 000002
【特許請求の範囲】
【請求項１】
空気を吸引する空気吸引手段を収納した本体と、
該本体に引き出し自在に設置され、前記空気吸引手段に電力を供給する電源コードと、  前記本体に回転自在に設置され、前記電源コードを巻き取り、且つ巻き戻すコードリールと、
前記電源コードが巻き取られる方向に前記コードリールを付勢するゼンマイと、
前記電源コードが巻き取られる方向への前記コードリールの回転を不能にする回転制動手段と、
該回転制動手段に作用して、前記コードリールの回転を可能にする回転開放手段と、
を有し、
前記本体の一部に、前記電源コードに設置された電源プラグを収納するための凹部が形成され、
該凹部に前記回転開放手段の一部が露出していることを特徴とする電気掃除機。
【請求項２】
前記凹部に収納された電源プラグの脱落を防止する脱落防止手段が、前記凹部に設けられていることを特徴とする請求項１記載の電気掃除機。
【請求項３】
前記脱落防止手段が、前記電源プラグまたは前記電源コードの一部を把持する弾性体であることを特徴とする請求項２記載の電気掃除機。
【請求項４】
前記凹部が、前記本体の上面と背面とに跨って形成され、  
前記背面に、前記電源コードを前記本体から引き出すためのコード引出口が形成され、
前記背面に、前記本体を支持する脚が形成され、
該脚の高さが、前記電源コードの外径よりも大きいことを特徴とする請求項１乃至３の何れかに記載の電気掃除機。
【請求項５】
前記回転制動手段が、前記コードリールに向かって進退自在な制動棒と、
該制動棒を前記コードリールに向かって付勢する制動棒付勢手段と、
前記コードリールに設置され、前記制動棒付勢手段によって付勢された制動棒が係止自在で、前記制動棒が係止した際、前記電源コードが巻き取られる方向への回転を不能にするラッチと、
前記本体に昇降自在に設置され、上昇した際、前記制動棒が前記ラッチに係止させ、下降した際、前記制動棒を前記ラッチから離脱させる離脱棒と、
該離脱棒を弾性的に支持する離脱棒付勢手段と、を有し、
前記離脱棒の上端が、前記凹部に露出していることを特徴とする請求項１乃至４の何れかに記載の電気掃除機。
【請求項６】
前記回転制動手段が、前記コードリールに向かって進退自在な制動棒と、
該制動棒を前記コードリールに向かって付勢する制動棒付勢手段と、
前記コードリールに設置され、前記制動棒付勢手段によって付勢された制動棒が係止自在で、前記制動棒が係止した際、前記電源コードが巻き取られる方向への回転を不能にするラッチと、
前記本体に昇降自在に設置され、上昇した際、前記制動棒が前記ラッチに係止させ、下降した際、前記制動棒を前記ラッチから離脱させる離脱棒と、
該離脱棒を弾性的に支持する離脱棒付勢手段と、
前記離脱棒の上端に昇降自在に設置された巻き取りボタンと、
該巻き取りボタンを弾性的に支持する、ボタン付勢手段と、
前記本体に昇降自在に設置され、先端が前記上面に露出する中断棒と、
該中断棒と前記離脱棒とを連結し、略中間位置において傾動自在に前記本体に設置された連結棒と、を有し、
前記巻き取りボタンの上端が前記凹部に露出し、
前記巻き取りボタンが下方に押された際、前記離脱棒が下降すると共に、前記ボタン付勢手段中断棒が上昇して、前記中断棒の上端が前記上面に露出し、
前記中断棒が下方に押された際、前記離脱棒が上昇して、前記制動棒が前記ラッチに係止することを特徴とする請求項１乃至４の何れかに記載の電気掃除機。
【請求項７】
前記脱落防止手段が、前記本体に回動自在に設置された一対の開閉腕と、該開閉腕のそれぞれの上端に対向して設置され、前記電源コードを把持自在な把持部と、を具備し、
略中間位置において前記本体に傾動自在に設置され、一端が前記離脱棒に設置され、他端が前記一対の開閉腕に当接する傾動棒と、
略水平方向に移動自在であって、前記中断棒が十分に下降した際、一端が前記中断棒に当接して前記制動棒方向に押され、前記制動棒を前記ラッチから離脱させる伝達棒と、
を有し、
前記巻き取りボタンの上端が前記凹部に露出し、
前記巻き取りボタンが下方に押された際、前記離脱棒が下降すると共に、前記ボタン付勢手段中断棒が上昇して、前記中断棒の上端が前記上面に露出し、
前記中断棒が下方に所定量だけ押された際、前記離脱棒が上昇して、前記制動棒が前記ラッチに係止し、
前記中断棒が下方に所定量よりも大きく押された際、前記伝達棒が移動して、前記制動棒を前記ラッチから離脱させると共に、前記傾動棒の他端が下降して、前記一対の開閉腕を回動させることによって前記把持部を開放させることを特徴とする請求項６記載の電気掃除機。
【発明の詳細な説明】
【技術分野】
【０００１】
本発明は電気掃除機、特に、電源コードの自動巻き取り手段を有する電気掃除機に関するものである。
【背景技術】
【０００２】
従来の電源コードの自動巻き取り手段を有する電気掃除機は、電気掃除機の本体内部に配置されたコードリールに電源コードが巻かれた構造である。このとき、コードリールには、電源コードの引き出しによって巻き上げられるゼンマイが取り付けられ、コードリールまたはゼンマイにはゼンマイの巻き戻し（コードリールの巻き取りに同じ）を拘束する拘束手段が設けられている。
かかる拘束手段は、電源コードの引き出しを可能にするものの、下記操作をしない限り、コードリールの回転が拘束されているから、掃除中に、電源コードが巻かれることはない。一方、本体の上面には、拘束手段に連動した「コード巻き取りボタン」が設けられ、コード巻き取りボタンを押すと、ゼンマイの拘束が開放され、電源コードはコードリールに巻き取られ、本体に収納される。
特に、ゼンマイが十分に巻き上げられた状態から開放される巻き取り開始直後は、コードリールが高速で回転し、電源コードは勢い良く本体に巻き込まれる。このため、電源コードやその先端に接続された電源プラグが、床面を飛び跳ねて使用者や周囲の家具、あるいは近くの乳幼児やペット等に衝突するおそれがあるという問題があった。
【０００３】
このため、取扱説明書には、コードの巻き取り時には、一方の手で電源プラグ部を持ってから、他方の手でコード巻き取りボタンを操作する旨の注意書きが書かれている。しかしながら、掃除中は、吸引ホースを把持しているから、掃除後に、吸引ホースから手を離し、一方の手で電源プラグ部を持ってから、他方の手でコード巻き取りボタンを操作することは煩雑である。このため、電源プラグ部を持たないで、コード巻き取りボタンを操作する場合が多かった。
そこで、電源コードの巻き取り速度を遅くする減速装置を備えた電気掃除機が開示されている（例えば、特許文献１、２参照）。
【先行技術文献】
【特許文献】
【０００４】
【特許文献１】特開平６−３８９１１号公報（第２−３頁、図１）
【特許文献２】特開平７−３９５０１号公報（第２−３頁、図１）
【発明の概要】
【発明が解決しようとする課題】
【０００５】
しかしながら、特許文献１に開示された電気掃除機は、コードリールの外周に当接し、コードリールの回転によって回転され、且つ、該回転によって進退する摺動部を有するものであって、摺動部が進出した際に、摺動部が本体ブレーキに摺動して、回転が制動される機構を有している。
このため、電源コードの巻き取りを開始してしばらくの間、すなわち、ゼンマイの巻き戻る速さが最も速い間は、コードリールの外周が摺動部に当接していないため、回転が摺動されないから、前記問題が解消しない。
【０００６】
また、特許文献２に開示された電気掃除機は、電磁アクチュエータによって進退するコードガイドを設け、電源コードの巻き取りに際し、コースガイドを進出させて、これを電源コードに押し当てることによって巻き取り速度を減速させるものである。また、電源コードの複数箇所に径大部を設け、電源コードの巻き取りに際し、径大部がコースガイドと摺動することによる抵抗によって巻き取り速度を減速させるものである。さらに、電源コードの引き出し時には低摩擦面が摺動し、一方、巻き取り時には高摩擦面が摺動するリップを本体ケースに設置し、高摩擦面との摺動による抵抗によって巻き取り速度を減速させるものである。
そのため、掃除終了後においても、電磁アクチュエータに電力を供給する蓄電手段を必要とするという問題があった。また、巻き取りが進み、ゼンマイの巻き取り力が弱くなったときも、前記抵抗が働くため、電源コードが最後まで巻き取られないおそれがあるという問題があった。さらに、径大部を有するため、電源コードの見掛け上の巻き取り径が大きくなり、コードリールが大型化したり、電源コードが短尺化したりして、意匠性および機能性が阻害されるという問題があった。
【０００７】
本発明は、このような問題を解決するためになされたものであり、電源コードの巻き取りに際し、電源コードや電源プラグの飛び跳ねを防止することができる電気掃除機を提供するものである。
【課題を解決するための手段】
【０００８】
本発明に係る電気掃除機は、空気を吸引する空気吸引手段を収納した本体と、
該本体に引き出し自在に設置され、前記空気吸引手段に電力を供給する電源コードと、
前記本体に回転自在に設置され、前記電源コードを巻き取り、且つ巻き戻すコードリールと、
前記電源コードが巻き取られる方向に前記コードリールを付勢するゼンマイと、
前記電源コードが巻き取られる方向への前記コードリールの回転を不能にする回転制動手段と、
該回転制動手段に作用して、前記コードリールの回転を可能にする回転開放手段と、
を有し、
前記本体の一部に、前記電源コードに設置された電源プラグを収納するための凹部が形成され、
該凹部に前記回転開放手段の一部が露出していることを特徴とする。
【発明の効果】
【０００９】
本発明に係る電気掃除機は、本体の一部に電源プラグを収納するための凹部が形成され、そこに回転開放手段の一部が露出しているから、電源コードを巻き取るために、回転開放手段を操作しようとすると、一方の手で電源プラグを把持して電源プラグを回転開放手段の一部に押し当てる必要がある。すなわち、回転開放手段が動作して電源コードが巻き取られる際、電源プラグは一方の手に把持されるか、一方の手（指）によって凹部に押し付けられているから、電源コードの巻き取りに際し、電源コードや電源プラグが飛び跳ねることが無くなる。
【図面の簡単な説明】
【００１０】
【図１】本発明の実施の形態１に係る電気掃除機を説明する外観を示す斜視図。
【図２】図１に示す電気掃除機の一部（電源コード巻き取り手段）を示す側面図。
【図３】本発明の実施の形態２に係る電気掃除機の一部を示す平面図と部分断面図。
【図４】本発明の実施の形態３に係る電気掃除機を示す斜視図と側面視の断面図。
【図５】本発明の実施の形態４に係る電気掃除機の動作の様子を示す断面図。
【図６】本発明の実施の形態４に係る電気掃除機の動作の様子を示す断面図。
【図７】本発明の実施の形態５に係る電気掃除機の動作の様子を示す断面図。
【図８】本発明の実施の形態５に係る電気掃除機の動作の様子を示す断面図。
【図９】本発明の実施の形態５に係る電気掃除機の動作の様子を示す断面図。
【発明を実施するための形態】
【００１１】
［実施の形態１］
図１および図２は本発明の実施の形態１に係る電気掃除機を説明するものであって、図１は外観を模式的に示す斜視図、図２は一部構造（電源コード巻き取り手段）を模式的に示す側面図である。
図１および図２において、電気掃除機１００は、空気を吸引する空気吸引手段や制御手段等（図示しない）を収納した本体１と、本体１に引き出し自在に設置され、空気吸引手段や制御手段等に電力を供給する電源コード２と、電源コード２の端部に設置された電源プラグ３とを有している。
【００１２】
（電源コード巻き取り手段）
そして、本体１の内部には、本体１に回転自在に設置され、電源コード２を巻き取り、且つ巻き戻すコードリール１０と、電源コード２が巻き取られる方向にコードリール１０を付勢するゼンマイ（図示しない）と、電源コード２が巻き取られる方向（図２において時計回りの方向）へのコードリール１０の回転を不能にする回転制動手段２０と、回転制動手段２０に作用してコードリール１０の電源コード２が巻き取られる方向（図２において時計回りの方向）への回転を可能にする回転開放手段３０と、を有している。
【００１３】
（凹部）
さらに、本体１の上面１ａと背面１ｂに跨って、電源プラグ３を収納するための凹部４形成され、凹部４に回転開放手段３０の上端に固定された巻き取りボタン（回転開放手段３０の一部に同じ）５が露出している。
なお、本体１の側面１ｃには、車輪１ｄが回転自在に設置され、背面１ｂには、電源コード２が引き出されるコード引出口６が設けられている。
なお、凹部４の形状は限定するものではなく、背面１ｂから離れた位置に電源プラグ３を収納する広い範囲を設け、背面１ｂに近い位置には、電源コード２が通過するだけの狭い範囲を設けてもよい。
【００１４】
（コードリール）
コードリール１０は本体１に回転自在に設置されたリール円筒部１１と、リール円筒部１１をサンドイッチする円盤状の一対のリール側板１２と、少なくとも一方のリール側板１２の外周に設けられたラッチ１３と、を有している。
したがって、コードリール１０が時計方向に回転すると、電源コード２はリール側板１２に案内されてリール円筒部１１に１層または多層に渡って巻き取られる。
【００１５】
（回転制動手段）
回転制動手段２０は、下端が本体１に傾動自在に支持された制動棒２１と、制動棒２１に設置され、コードリール１０のラッチ１３に係止自在な制動爪２２と、制動棒２１に設置され回転開放手段３０の一部が当接する制動突起２４と、を有する。
そして、制動棒２１は制動スプリング（制動棒付勢手段に同じ）２３によって、コードリール１０側に傾動するように付勢されている。
【００１６】
（回転開放手段）
回転開放手段３０は、本体１に昇降自在に設置された離脱棒３１と、離脱棒３１に設置され、下降した際、回転制動手段２０の制動突起２４に当接する離脱カム３２と、離脱棒３１を弾性的に支持する離脱スプリング（離脱棒付勢手段に同じ）３３と、を有している。
一方、本体１に形成された凹部４の底面４ａには、離脱棒３１の上端に固定された巻き取りボタン５が侵入自在な凹部ポケット４ｂが形成され、凹部ポケット４ｂに離脱スプリング３３が配置されている。
【００１７】
（引き出し動作）
図２の（ａ）において、巻き取りボタン５が上昇しているとき、電源コード２は引き出し自在であって、巻き取り不能になっている。
すなわち、離脱棒３１は離脱スプリング３３に弾性的に支持され、離脱カム３２は制動突起から離れている。このため、制動棒２１は制動スプリンブ２３に付勢されてコードリール１０側に傾動し、制動爪２２がラッチ１３に係止している。
このとき、ラッチは時計回り側がリール側板１２の略半径方向に形成され、反時計回り側がリール側板１２の略接線方向に形成されている。したがって、コードリール１０は時計回りに回転不能であって、電源コード２を巻き取り不能であり、反対に、コードリール１０は反時計回りに回転可能であって、電源コード２を引き出し（引き出し）可能である。なお、引き出し動作は、作業者が電気掃除機１００によって掃除をしている状態に同じである。
【００１８】
（巻き取り動作）
図２の（ｂ）において、電源プラグ３が凹部４の底面４ａに押し付けられ、巻き取りボタン５が下降している。このとき、電源コード２はコードリール１０に巻き取られる。
すなわち、離脱棒３１は押し下げられ、離脱カム３２は制動突起２４に当接して、制動棒２１をコードリール１０の反対側に傾動させている。
このため、制動爪２２がラッチ１３から離脱しているから、コードリール１０は回転自在になって、巻き上げられていたゼンマイ（図示しない）の巻き戻りによって、コードリール１０は時計回りに回転される。すなわち、電源プラグ３が凹部４に押し付けられた状態で、電源コード２はコードリール１０に巻き取られるから、電源コード２や電源プラグ３が飛び跳ねることがない。
なお、巻き取りの途中で、電源プラグ３を凹部４の底面４ａから離した場合には、巻き取りボタン５が上昇するから、適宜、巻き取りを中断することができる。
【００１９】
［実施の形態２］
図３は本発明の実施の形態２に係る電気掃除機を説明するものであって、（ａ）は一部を模式的に示す平面図、（ｂ）は一部を模式的に示す側面図である。なお、実施の形態１と同じ部分にはこれと同じ符号を付し、一部の説明を省略する。
図３において、電気掃除機２００は、凹部４に収納された電源プラグ３の脱落を防止する脱落防止手段４０が、凹部４の背面１ｂ寄りに設けられている。
【００２０】
（脱落防止手段）
脱落防止手段４０は、電源コード２および電源プラグ３の一部が侵入自在なプラグ侵入部４１を形成する一対の略Γ（ガンマ）字状部材であって、プラグ侵入部４１の上部は、庇状（フランジ状）に対向するように突出したプラグ押さえフランジ４０ａによって、プラグ侵入部４１よりも幅の狭いプラグ押さえ部４２が形成されている。
【００２１】
したがって、電源プラグ３を凹部４の底面４ａ（巻き取りボタン５に同じ）に押し付けて、電源プラグ３を背面１ｂ側に摺動させると、電源プラグ３の一部がプラグ侵入部４１に侵入し、上方がプラグ押さえフランジ４０ａによって凹部４から抜け出し不能に拘束される。
そうすると、一方の手で電源プラグ３を掴んで、これを巻き取りボタン５に押し付けて巻き取りを開始した後、電源プラグ３を凹部４から抜け出し不能に拘束することができるから、電源プラグ３から手を離しても、巻き取りを継続させることができる。すなわち、付きっきりになる必要がなくなり、操作性が向上する。
また、巻き取り終了後に、電源プラグ３が本体１から垂れ下がることがないから、電気掃除機２００を保管する際の見栄えがよい。
【００２２】
なお、脱落防止手段４０の形状を材質は限定するものではない。例えば、柔軟性のある弾性体によって形成しておけば、巻き取り終了の際、電源コード２に衝撃的に引っ張り力が作用した場合でも、衝撃力が脱落防止手段４０によって吸収される。このため、電源プラグ３の変形が抑えられたり、電源コード２の芯線が破断するという不具合が防止されたりするから、信頼性が向上する。
【００２３】
［実施の形態３］
図４は本発明の実施の形態３に係る電気掃除機を説明する、（ａ）は模式的に示す斜視図、（ｂ）は模式的に示す側面視の断面図である。なお、実施の形態１と同じ部分にはこれと同じ符号を付し、一部の説明を省略する。
図４において、電気掃除機３００は、電気掃除機１００（実施の形態１）において、本体１の上面１ａと背面１ｂとに跨って形成された凹部４と、背面１ｂに形成されたコード引出口６との間に、略平行に一対の板状の脚７が設けられたものに同じである。
このとき、脚７の高さが電源コード２の外径よりも大きく形成されているため、床面９９に脚７が当接した姿勢（立てた姿勢）にしても、電源コード２が床面９９背面１ｂとの間に挟まれることがない（図４の（ｂ）参照）。
【００２４】
したがって、電気掃除機３００を立てた状態で電源コード２を巻き取っても、巻き取りが中断することがない。また、電気掃除機３００を立て保管する際、電気掃除機３００が電源コード２を踏んで傾いたり、転倒したりすることがなく、また、電源コード２を損傷することがなくなる。
なお、脚７の形状や配置は限定するものではないから、意匠性を考慮した形態にすることができる。また、電気掃除機１００に替えて電気掃除機２００（実施の形態２）に脚７を設けてもよい。
【００２５】
［実施の形態４］
図５および図６は本発明の実施の形態４に係る電気掃除機を説明する、動作の様子を模式的に示す側面視の断面図である。なお、実施の形態１、２と同じ部分にはこれと同じ符号を付し、一部の説明を省略する。
図５および図６において、電気掃除機４００は電気掃除機２００（実施の形態２）において、電源コード２の巻き取りを、巻き取りの途中で一時中断する巻き取り中断手段を有するものである。
すなわち、電気掃除機４００は、離脱棒３１の上端に離脱棒フランジ３４が設けられ、離脱棒フランジ３４と凹部ポケット４ｂの底面との間に、離脱スプリング３３が設置されている。すなわち、離脱棒３１は離脱スプリング３３によって、弾性的に支持されている。
また、巻き取りボタン５が離脱棒３１に昇降自在に設置され、巻き取りボタン５と離脱棒フランジ３４との間にコイルスプリング（ボタン付勢手段に同じ、以下、「ボタンスプリング」と称す）５ａ設置されている。すなわち、巻き取りボタン５はボタンスプリング５ａによって、弾性的に支持されている。
【００２６】
（巻き取り中断手段）
巻き取り中断手段５０は、本体１には、昇降自在な中断棒５１と、傾動自在な連結棒５２とを有する。連結棒５２の両端にはそれぞれ中断棒５１と離脱棒３１とが連結され、連結棒５２は略中間位置において支持され、シーソー状に傾動する。そして、中断棒５１の上端に巻き取り中断ボタン８が固定されている。
【００２７】
（引き出し動作）
図５の（ａ）において、巻き取りボタン５は凹部４の底面４ａから突出している。したがって、離脱棒３１の離脱カム３２と制動棒２１の制動突起２４とは離れているから、制動爪２２がコードリール１０のラッチ１３に係止している。
このとき、連結棒５２は略水平であって、巻き取り中断ボタン８の上面が、本体１の上面１ａと略同一面に位置している。
【００２８】
（巻き取り動作）
図５の（ｂ）において、電源プラグ３が凹部４に収納され、巻き取りボタン５を押し下げている。そして、電源プラグ３は脱落防止手段４０によって抜け出し不能に拘束されている。
したがって、離脱棒３１の離脱カム３２と制動棒２１の制動突起２４とが当接し、制動棒２１はコードリール１０から離れる方向に傾動されているから、制動爪２２がコードリール１０のラッチ１３から離れている。
このとき、連結棒５２は離脱棒３１側が下がり、中断棒５１側が上がるため、巻き取り中断ボタン８の上面が本体１の上面１ａから突出している。
【００２９】
（巻き取り中断動作）
図６において、電源プラグ３が脱落防止手段４０によって抜け出し不能に拘束された状態（電源プラグ３が巻き取りボタン５を押し下げている状態）で、巻き取り中断ボタン８が押し下げられている。
このため、連結棒５２は中断棒５１側が下がり、離脱棒３１側が上がるため、離脱棒３１の離脱カム３２と制動棒２１の制動突起２４とが離れ、制動爪２２がコードリール１０のラッチ１３に係止している。すなわち、前記「巻き取り不能動作」になっている。
このとき、離脱棒３１は上昇するものの、ボタンスプリング５ａが圧縮されるため、巻き取りボタン５が上昇することはない。
【００３０】
（巻き取り再開動作）
さらに、巻き取りを再開する場合は、巻き取り中断ボタン８から手（指）を離す。そうすると、ボタンスプリング５ａの復元力（反発力）によって、離脱棒３１が押し下げられ前記「巻き取り動作」になる。
よって、巻き取り中断ボタン８を操作することによって、巻き取りを適宜中断し、かつ再開することができるから、操作性がさらに向上する。
【００３１】
［実施の形態５］
図７〜図９は本発明の実施の形態５に係る電気掃除機を説明する、動作を模式的に示す側面視の断面図である。なお、実施の形態４と同じ部分にはこれと同じ符号を付し、一部の説明を省略する。
図７〜図９において、電気掃除機５００は、コード引出口６に電源プラグ３を収納するプラグ収納部（図示しない）が設けられ、該プラグ収納部に電源プラグを引き込むためのプラグ収納手段を有するものである。
【００３２】
（脱落防止手段）
図７において、脱落防止手段６０は、本体１に回動自在に設置された一対の開閉腕６１と、開閉腕６１のそれぞれの上端に対向して設置された把持突起６２と、本体１に略中間位置が傾動自在に支持され、シーソー状に傾動（揺動）する傾動棒６４と、を有している（図７の（ａ）参照）。
一対の開閉腕６１は略Ｖ字状に配置され、その開き角度が変更自在である。そして、一対の開閉腕６１の開き角度を拡大する方向に付勢するコイルスプリング（以下、押さえスプリング」と称す）６３が設置されている（図７の（ｂ）参照）。
傾動棒６４の一端は離脱棒３１に連結され、他端には二股部６５が形成されている。したがって、離脱棒３１が押し下げられた時、二股部６５は上昇し、二股部６５の内面が開閉腕６１の外面に摺動して、開き角度を小さくする。すなわち、把持突起６２が近接して、電源コード２を把持可能な把持部が形成される（図７の（ｃ）参照）。
【００３３】
（プラグ収納手段）
プラグ収納手段７０は、本体１に昇降自在に設置された収納棒７１と、本体１に傾動自在に設置された連結棒７２と、収納棒７１に形成された収納カム７３と、収納カム７３の当接によって制動棒２１側に移動する伝達棒７４と、収納棒７１の上端に固定された収納ボタン９と、を有している。したがって、収納棒７１は中断棒５１（実施の形態４参照）に収納カム７３を形成したものに相当し、中断棒５１の機能を有している。
【００３４】
（引き出し動作）
図７の（ａ）において、離脱棒３１は離脱スプリング３３に弾性的に支持され、離脱棒３１の離脱カム３２と制動棒２１の制動突起２４とが離れているから、制動爪２２がコードリール１０のラッチ１３に係止している。すなわち、コードリール１０は反時計回りには回転自在（電源コード２の引き出し自在）であって、反対に時計回りには回転不能（巻き上げ不能）になっている。
このとき、巻き取りボタン５は、離脱棒３１にボタンスプリングａによって、弾性的に支持され、凹部４の底面４ａから上方に突出している。
また、連結棒５２は略水平であって、巻き取り収納ボタン９の上面が、本体１の上面１ａから僅かに突出して、第１位置Ａに位置している。
さらに、傾動棒６４も略水平であって、二股部６５は開閉腕６１に当接していないから、把持突起６２同士は離れている（図７の（ｂ）参照）。 
【００３５】
（巻き取り動作）
図８の（ａ）において、電源プラグ３が凹部４に収納され、巻き取りボタン５を押し下げている。
したがって、離脱棒３１の離脱カム３２と制動棒２１の制動突起２４とが当接し、制動棒２１はコードリール１０から離れる方向に傾動されているから、制動爪２２がコードリール１０のラッチ１３から離れている。すなわち、コードリール１０は時計回りの方向に回転可能になり、図示しないゼンマイの復元力（巻き戻し力）によって、回転する。
このとき、連結棒７２は離脱棒３１側が下がり、収納棒７１側が上がるため、収納ボタン９は本体１の上面１ａからさらに突出して、第２位置Ｂに位置している。
一方、傾動棒６４は離脱棒３１側が下がり、二股部６５側が上昇するため、二股部６５の内面が開閉腕６１の外面に摺動して、開き角度を小さくしている。すなわち、把持突起６２が近接して、電源コード２を把持している（図７の（ｃ）参照）。
したがって、電源プラグ３から手（指）を離しても、電源コード２はコードリール１０に継続して巻き取られる。
【００３６】
（巻き取り中断動作）
図８の（ｂ）において、収納ボタン９第１位置Ａにまで、押し下げられている。このため、連結棒７２は収納棒７１側が下がり、離脱棒３１側が上がって、略水平になっている。したがって、離脱棒３１の離脱カム３２と制動棒２１の制動突起２４とが離れ、制動爪２２がコードリール１０のラッチ１３に係止し、前記「巻き取り不能動作」になっている。
このとき、傾動棒６４は離脱棒３１側が上がり、二股部６５側が下降するため、二股部６５の内面が開閉腕６１の外面から離れ、開き角度は大きくなっている。すなわち、把持突起６２同士の距離が拡大するから、電源コード２は把持されない（図７の（ｂ）参照）。そして、巻き取りボタン５を弾性的に支持するボタンスプリング５ａは圧縮されている
一方、収納カム７３は伝達棒７４に当接していないから、伝達棒７４は移動しない。
【００３７】
（収納動作）
図９の（ａ）において、収納ボタン９が第３位置Ｃにまで、押し下げられている。このため、連結棒７２は収納棒７１側がさらに下がり、離脱棒３１側がさらに上がって、離脱カム３２が制動突起２４から離れている。一方、収納カム７３が伝達棒７４に当接して、伝達棒７４は制動棒２１側に移動し、制動棒２１をコードリール１０から離れる方向に傾動させている。そうすると、制動爪２２がコードリール１０のラッチ１３から離れ、コードリール１０は時計回りの方向に回転自在になる。すなわち、前記「巻き取り動作」の状態になっている。
また、傾動棒６４は離脱棒３１側がさらに上がり、二股部６５側がさらに下降するため、前記「電源コード２は把持されない（図７の（ｂ参照）」状態が維持される。
【００３８】
したがって、電源コード２は把持されない状態で、巻き取られるから、やがて、電源プラグ３は凹部４から脱出してプラグ収納部（図示しない）に引き込まれる。
なお、収納ボタン９が第３位置Ｃにまで押し下げられと同時に、電源コード２の把持が開放され、ボタンスプリング５ａは弾性復元するから、図９の（ａ）に模式的に示す状態は、極短時間に終わり、図９に（ｂ）に示す状態に移行する。
そして、収納ボタン９から手（指）を離すと、離脱棒３１は自重によって下降し、引き出し動作の状態（図７の（ａ）参照）に戻る。
以上のように、電気掃除機５００では、電源コードの巻き取りに際し、電源コードや電源プラグが飛び跳ねることが無くなると共に、巻き取りの中断やプラグ収納部への収納ができるから、操作性が向上する。
【産業上の利用可能性】
【００３９】
本発明によれば、電源コードの巻き取りに際し、電源コードや電源プラグが飛び跳ねることが無くなるから、電源コードの巻き取り手段を有する各種型式の電気掃除機として広く利用することができる。
【符号の説明】
【００４０】
１：本体、１ａ：上面、１ｂ：背面、１ｃ：側面、１ｄ：車輪、２：電源コード、３：電源プラグ、４：凹部、４ａ：底面、４ｂ：凹部ポケット、５：巻き取りボタン、５ａ：ボタンスプリング、６：コード引出口、７：脚、８：中断ボタン、９：収納ボタン、１０：コードリール、１１：リール円筒部、１２：リール側板、１３：ラッチ、２０：回転制動手段、２１：制動棒、２２：制動爪、２３：制動スプリンブ、２４：制動突起、３０：回転開放手段、３１：離脱棒、３２：離脱カム、３３：離脱スプリング、３４：離脱棒フランジ、４０：脱落防止手段、４０ａ：プラグ押さえフランジ、４１：プラグ侵入部、４２：プラグ押さえ部、５０：中断手段、５１：中断棒、５２：連結棒、６０：脱落防止手段、６１：開閉腕、６２：把持突起、６３：コイルスプリング、６４：傾動棒、６５：二股部、７０：プラグ収納手段、７１：収納棒、７２：連結棒、７３：収納カム、７４：伝達棒、９９：床面、１００：電気掃除機、２００：電気掃除機、３００：電気掃除機、４００：電気掃除機、５００：電気掃除機。 
【図１】
2011206106.tif 000003
【図２】
2011206106.tif 000004
【図３】
2011206106.tif 000005
【図４】
2011206106.tif 000006
【図５】
2011206106.tif 000007
【図６】
2011206106.tif 000008
【図７】
2011206106.tif 000009
【図８】
2011206106.tif 000010
【図９】
2011206106.tif 000011